(57)【要約】【課題】  演出機器を覆う保護カバーの一部を遊技機枠の外方へ突出させたデザインとすることにより同保護カバーの存在感を高めると共に遊技機全体の装飾性を向上させる遊技機を提供すること。【解決手段】  装飾枠（遊技機枠）１５の前面に設置される演出機器１６を覆う保護カバー２５を備えたパチンコ機（遊技機）において、保護カバー２５を、装飾枠１５の上端縁１ａから内方へ退いた収納位置（イ）と、その上端縁１ａから外方へ突出する突出位置（ロ）との間を演出機器１６が設けられたベース１７に沿って移動可能に設け、保護カバー２５がストッパー手段２９によって突出位置（ロ）に保持されるようにした。【選択図】  図１
2007020753.tif 000002
【特許請求の範囲】
【請求項１】
遊技機枠の前面に設置される演出機器を覆う保護カバーを備えた遊技機において、
前記保護カバーの一部を前記遊技機枠の端縁から外方へ突出させるように設けたことを特徴とする遊技機。
【請求項２】
前記保護カバーは、遊技機枠の端縁から内方へ退いた収納位置と、その端縁から外方へ突出する突出位置との間を前記演出機器が設けられた当該遊技機枠側の固定部に沿って移動可能に設けられていることを特徴とする請求項１に記載の遊技機。
【請求項３】
前記保護カバーを収納位置から突出位置に移動させる場合に、同保護カバーが遊技機の上端縁に対して斜め方向に移動するように設けられていることを特徴とする請求項１又は２に記載の遊技機。
【請求項４】
前記保護カバーがストッパー手段によって突出位置に保持されるように設けられていることを特徴とする請求項２又は３に記載の遊技機。
【請求項５】
前記保護カバー若しくは遊技機枠側の固定部の何れか一方に係止突部を設け、その他方に設けられた係止溝に該係止突部を遊嵌させることにより同保護カバーを移動可能に設けたことを特徴とする請求項４に記載の遊技機。
【請求項６】
前記演出機器が遊技機枠側に取付けられるスピーカ及び／又は電飾ランプであることを特徴とする請求項１から５の何れかに記載の遊技機。
【発明の詳細な説明】
【技術分野】
【０００１】
本発明は、パチンコ機やスロットルマシン等の遊技機に関するものである。
【背景技術】
【０００２】
遊技機としての一般的なパチンコ機では、遊技の進行状況に伴い打球が入賞したときに発せらる入賞音等の様々な効果音を発することにより音声演出を行なうためのスピーカや、発光により視覚効果を演出する電飾ランプという類の演出機器が遊技機枠の前面に設けられている。それらの演出機器には、これらを保護するための保護カバーが設けられている（例えば、特開２００３−１１７０８２号、特開平５−１６８７６７号）。
【０００３】
上記保護カバーは演出機器を保護する本来の機能に加えて、パチンコ機の装飾効果をも担っており、最近の傾向として保護カバーの装飾効果を向上させることが望まれている。例えば、特開２００４−１６７２２号公報の「遊技機」には、遊技機全体としての演出効果を向上するために、遊技状態に応じた報知動作を行なう演出用可動物を前枠の前面上部に配置して当該可動物に備えられた蓋を開閉自在に設け、その蓋が開けられたときに内部の発光ダイオードを露出させるという構成が開示されている。また、特開２００３−１９０６００号公報の「パチンコ遊技機」には、眼などの可動部材を備えた可動装飾品を前枠の前面上部に配置し、大当たり発生時などの遊技状況に応じて該可動部材を変動させることにより遊技者に満足感・達成感を付与可能とする構成が開示されている。
【０００４】
上述したように保護カバーのデザインについては様々な工夫が見られるが、遊技機枠の範囲内におけるデザインに自ずから限界があると言えよう。
【特許文献１】特開２００３−１１７０８２号公報
【特許文献２】特開平５−１６８７６７号公報
【特許文献３】特開２００４−１６７２２号公報
【特許文献４】特開２００３−１９０６００号公報
【発明の開示】
【発明が解決しようとする課題】
【０００５】
本発明の目的は、演出機器を覆う保護カバーの一部を遊技機枠の外方へ突出させたデザインとすることにより同保護カバーの存在感を高めると共に遊技機全体の装飾性を向上させる遊技機を提供することにある。
【課題を解決するための手段】
【０００６】
前記目的を達成するために請求項１に記載した発明は、遊技機枠の前面に設置される演出機器を覆う保護カバーを備えた遊技機において、前記保護カバーの一部を前記遊技機枠の端縁から外方へ突出させるように設けたことを特徴とする。
【０００７】
同様の目的を達成するために請求項２に記載した発明は、請求項１に記載の遊技機において、前記保護カバーは、遊技機枠の端縁から内方へ退いた収納位置と、その端縁から外方へ突出する突出位置との間を前記演出機器が設けられた当該遊技機枠側の固定部に沿って移動可能に設けられていることを特徴とする。
【０００８】
同様の目的を達成するために請求項３に記載した発明は、請求項１又は２に記載の遊技機において、前記保護カバーを収納位置から突出位置に移動させる場合に、同保護カバーが遊技機の上端縁に対して斜め方向に移動するように設けられていることを特徴とする。
【０００９】
同様の目的を達成するために請求項４に記載した発明は、請求項２又は３に記載の遊技機において、前記保護カバーがストッパー手段によって突出位置に保持されるように設けられていることを特徴とする。
【００１０】
同様の目的を達成するために請求項５に記載した発明は、請求項４に記載の遊技機において、前記保護カバー若しくは遊技機枠側の固定部の何れか一方に係止突部を設け、その他方に設けられた係止溝に該係止突部を遊嵌させることにより同保護カバーを移動可能に設けたことを特徴とする。
【００１１】
同様の目的を達成するために請求項６に記載した発明は、請求項１から５の何れかに記載の遊技機において、前記演出機器が遊技機枠側に取付けられるスピーカ及び／又は電飾ランプであることを特徴とするものである。
【発明の効果】
【００１２】
（請求項１の発明）
この遊技機は、保護カバーの一部を遊技機枠の端縁から外方へ突出させたデザインとしているので、保護カバーを目立たせることができると共に遊技機全体としての装飾効果を高めることができる。
【００１３】
（請求項２の発明）
この遊技機は、出荷時の運搬やホールでの据付け時に保護カバーを遊技機枠の端縁から内方へ退いた収納位置の状態としておくことにより、外力による保護カバーの変形や破損を可及的に防止することができ、運搬時における省スペース化を図ることができる。さらに、パチンコ機の据え付け後に保護カバーの一部を突出させた使用状態にセットすれば、保護カバーの存在感が高められると共に遊技機全体としての装飾性が発現する。
【００１４】
（請求項３の発明）
この遊技機は、保護カバーを遊技機の上端縁に対し斜め方向に移動するように設けているので、収納位置から突出位置に移動させる操作を円滑に行うことができる。
【００１５】
（請求項４の発明）
この遊技機は、保護カバーがストッパー手段によって突出位置に確実保持されるので、装飾状態を良好に維持することができる。
【００１６】
（請求項５の発明）
この遊技機は、保護カバーを移動させる構成を簡素な構造とすることができ、製造コストの低減化を図ることができる。
【００１７】
（請求項６の発明）
この遊技機は、スピーカ及び／又は電飾ランプを保護カバーにより覆うようにしており、それらの損傷を未然に防止することができる。
【発明を実施するための最良の形態】
【００１８】
以下に、本発明の最良の形態例を図面に基づいて説明する。図１は本発明に係るパチンコ機の正面図、図２は保護カバーを突出位置（ロ）としたパチンコ機の一部の正面図、図３は保護カバーがベースに取り付けられた状態を示す斜視図、図４は保護カバーをベースから分離した状態を示す斜視図、図５は図３のＡ−Ａ線断面図、図６は保護カバーを取り付けるベースの他の実施態様を示す説明図、図７は保護カバーの他の実施態様を示す説明図、図８は図７に示す保護カバーの要部の断面図、図９は図７に示す保護カバーを収納位置（イ）から突出位置（ロ）に移行した状態を示す説明図、図１０は保護カバーの他の実施態様を示す説明図、図１１は図１０に示す保護カバーを収納位置（イ）から突出位置（ロ）に移行した状態を示す説明図、図１２は保護カバーの固定手段を示す説明図である。
【００１９】
図１に本発明に係るパチンコ機ｐを示す。このパチンコ機ｐの遊技機枠である外枠１には、前面にある装飾枠１５を開閉自在に支持する金属製の内枠（図示せず）が一対のヒンジ金具（図示せず）により開閉可能に取付けられている。その内枠の背面には、誘導レール６によって囲まれる遊技領域内に図柄表示装置７や入賞口８、誘導釘９等が設けられた遊技盤５が取り付けられる。また、その装飾枠１５の裏面側には、遊技盤５の前面を覆うガラス板等の透明板を装着するための金属製保持枠（図示せず）が固定されている。
【００２０】
図１に示すように、その装飾枠１５の前面上部には、スピーカ２３と電飾ランプとしての多数個の発光ダイオード２４とからなる演出機器１６，１６が左右対称に設置されている。２５は演出機器１６を覆う各々の保護カバーである。図４に示すように、装飾枠１５の前面に固定された固定部たるベース１７は正面から見て円弧形平板状に形成され、そのベース１７の内側面１７ａと外側面１７ｂに沿うように所定深さの係止溝１８ａ，１８ｂが設けられている。１９，２０は上記内側面１７ａと外側面１７ｂに所定間隔を置いて夫々形成されたストッパー手段２９の構成要素としての係合凹部である。ベース１７には、上記スピーカ２３を装着するための大きな穴２１と上記発光ダイオード２４を露出させるための多数の小さな穴２２が設けられている。
【００２１】
保護カバー２５の上面２５ａには、上記スピーカ２３に対応する位置にハニカム形状の多数の透孔２６を形成すると共に上記発光ダイオード２４に対応する位置に透明なプラスチック製レンズ２７が設けられている。保護カバー２５の側縁には、上記ベース１７側に延びる円弧形状の側壁部２５ｂ，２５ｂが突設され、これら側壁部２５ｂ，２５ｂの先端に、上記ベース１７の係止溝１８ａ，１８ｂに対応する係止突部２８，２８が対向状に設けられている。各保護カバー２５は、それら係止突部２８，２８を係止溝１８ａ，１８ｂに遊嵌させることにより、外枠１の上端縁１ａから内方へ退いた収納位置（イ）と、その上端縁１ａからその先端２５ｃを外方へ突出させる突出位置（ロ）との間を斜め方向に移動可能とされている。
【００２２】
保護カバー２５の側壁部２５ｂ，２５ｂの内面には、ストッパー手段２９の構成要素としての係合突起３０，３１が上記ベース１７の係合凹部１９，２０に対応するように設けられている。それら係合凹部１９，２０に係合突起３０，３１を雌雄の関係で係合自在とすることによりストッパー手段２９が構成される。しかして、保護カバー２５は、ストッパー手段２９の係合凹部１９，２０に両係合突起３０，３１が夫々係合されることにより収納位置（イ）に保持され、一方の係合凹部２０に係合突起３０が係合されることにより突出位置（ロ）に保持されるように設けられている。
【００２３】
なお、保護カバー２５を収納位置（イ）から突出位置（ロ）に移動させる際に係合凹部１９，２０と係合突起３０，３１との係脱作用を円滑に行なわせるために、それら係合突起３０，３１の先端部は半球状に形成されている。
【００２４】
この実施形態例においては、ベース１７に係止溝１８ａ，１８ｂを、保護カバー２５に係止突部２８，２８を夫々設けて両者を遊嵌させることにより当該保護カバー２５を移動可能に設けているが、これを、ベース１７側に係止突部、保護カバー２５側に係止溝を設けて両者を遊嵌させることにより当該保護カバー２５を移動可能に設けることもできる。
【００２５】
また、前記保護カバー２５はストッパー手段２９により突出位置（ロ）に保持されるように設けられているが、これを図６に示す他の構成とすることもできる。詳しくは、上記ベース１７に対応するベース４１に形成される係止溝４２，４２の深さを一方、即ち前記突出位置（ロ）に向かうに従って徐々に浅く形成し、それら係止溝４２に保護カバー４５の係止突部４６を夫々遊嵌させる。これにより、保護カバー４５を突出位置（ロ）まで移動させた場合、それら係止突部４６が係止溝４２の奥端面４２ａに圧接されることにより、保護カバー４５が突出位置（ロ）に保持される。
【００２６】
上記構成になる本発明のパチンコ機ｐでは、出荷時の運搬やパチンコホールでの据付け時には保護カバー２５を収納位置（イ）の状態としておくことにより、外力による保護カバー２５の変形や破損を可及的に防止することができる。そして、パチンコ機ｐを据え付けた後に保護カバー２５を突出位置（ロ）に移動させることにより正規の使用状態にセットされ、その使用状態において保護カバー２５の存在感が高められると共に遊技機全体としての装飾性が発現する。
【００２７】
なお、上記保護カバー２５に代えて図７に示す保護カバー５１を採用することも可能である。詳しくは、この保護カバー５１は、挿入孔５３が形成されたボス５２とストッパー用突部５４を適宜箇所に設けている。他方、前記装飾枠１５には、ピン５７を突設すると共に上記ストッパー用突部５４に対応する係止部（図示せず）を設けるものとする。そして、保護カバー５１の挿入孔５３をピン５７に嵌めることにより（図８）、同保護カバー５１は装飾枠１５に回転可能に取り付けられ、図９に示す前記収納位置（イ）から突出位置（ロ）の状態に移行させることができる。５５は前記ベース１７に対応するベースである。
【００２８】
また、保護カバー５１が突出位置（ロ）に回転移動したときには、ストッパー用突部５４が係止部に係合することにより同保護カバー５１は当該位置（ロ）に保持される。
【００２９】
さらに、上記保護カバー２５に代えて図１０に示す保護カバー６１を採用することも可能である。詳しくは、この保護カバー６１は、一側縁６１ａに所定間隔をおいて筒部６２，６２を一直線状に一体に設けている。他方、前記装飾枠１５には、その前面に所定高さに突出するように形成された支持片６５に前記筒部６２，６２に対応する筒部６６，６６を所定間隔をおいて一直線状に設ける。
しかして、保護カバー６１の筒部６２，６２と装飾枠１５の筒部６６，６６とを互い違いに合わせた状態にてこれらにピン７０を挿入することにより、同保護カバー６１は装飾枠１５に表裏反転可能に取り付けられ、図１１に示すように裏返った状態の前記収納位置（イ）から表面が現われる状態の突出位置（ロ）に移行させることができる。
【００３０】
また、保護カバー６１を突出位置（ロ）に移行させたときには、図１２に示すように、保護カバー６１に形成されたストッパー片６３が装飾枠１５に設けられた係止片６７に係合することにより、同保護カバー６１は当該位置（ロ）に保持される。
【００３１】
この実施形態例においては、突出位置（ロ）における保護カバー２５がスピーカ２３と発光ダイオード２４の両方を覆うように設けられているが、これをスピーカ２３のみ或いは発光ダイオード２４のみを覆うように設けることもできる。また、外枠１の上端縁１ａから突出する保護カバー２５の向きについては、その上端縁１ａに対して斜め方向に限定されることなく、直交方向に突出する形態とすることもできる。さらに、保護カバー２５の突出箇所については、外枠１の上端縁１ａに限定されることなく、外枠１の左右の側縁から突出させる形態とすることもできる。
【００３２】
以上に述べた通り、この遊技機は、保護カバーの一部を遊技機枠の端縁から外方へ突出させたデザインとしているので、保護カバーを目立たせることができると共に遊技機全体としての装飾効果を高めることができる。
【図面の簡単な説明】
【００３３】
【図１】本発明に係るパチンコ機の正面図
【図２】保護カバーを突出位置（ロ）としたパチンコ機の一部の正面図
【図３】保護カバーをベースに取り付けた状態を示す斜視図
【図４】保護カバーをベースから分離した状態を示す斜視図
【図５】図３のＡ−Ａ線断面図
【図６】保護カバーを取り付けるベースの他の実施態様を示す説明図
【図７】保護カバーの他の実施態様を示す説明図
【図８】図７の要部の断面図
【図９】図７に示す保護カバーを収納位置（イ）から突出位置（ロ）に移行した状態を示す説明図
【図１０】保護カバーの他の実施態様を示す説明図
【図１１】図１０に示す保護カバーを収納位置（イ）から突出位置（ロ）に移行した状態を示す説明図
【図１２】保護カバーの固定手段を示す説明図
【符号の説明】
【００３４】
ｐ・・・パチンコ機（遊技機）
１・・・外枠  １ａ・・・上端縁
１５・・・装飾枠（遊技機枠）
１６・・・演出機器
（イ）・・・収納位置  （ロ）・・・突出位置
１７・・・ベース（固定部）
１８ａ，１８ｂ・・・係止溝
２３・・・スピーカ
２４・・・発光ダイオード
２５・・・保護カバー
２８・・・係止突部
２９・・・ストッパー手段
５１，６１・・・他の実施態様の保護カバー
【図１】
2007020753.tif 000003
【図２】
2007020753.tif 000004
【図３】
2007020753.tif 000005
【図４】
2007020753.tif 000006
【図５】
2007020753.tif 000007
【図６】
2007020753.tif 000008
【図７】
2007020753.tif 000009
【図８】
2007020753.tif 000010
【図９】
2007020753.tif 000011
【図１０】
2007020753.tif 000012
【図１１】
2007020753.tif 000013
【図１２】
2007020753.tif 000014